(57)【要約】      （修正有） 【課題】腰を屈めなくとも糞の回収を行うことができ、しかも安価に提供できる糞処理具とその糞処理具に使用する収納袋取付枠を提供する。【解決手段】ステッキ１の下部に縦方向の短管３を設け、この短管３に、金属線材を環状に屈曲すると共に両端を下方へ屈曲させて、短管装着部を形成した収納袋取付枠６を装着し、この収納袋取付枠６の環状部に下方掛止部を形成し、短管装着部に上方掛止ピン１１を設ける。収納袋取付枠６にゴミ取りネット７を被せ、収納袋取付枠６の下方掛止部と上方掛止ピン１１に、ゴミ取りネット７のゴム輪入り口縁を掛止させる。【選択図】図１
0003202955.tif 000002
【実用新案登録請求の範囲】
【請求項１】
下部に縦方向の短管を設けた棒体又はステッキと、金属線材を環状に屈曲すると共に両端を下方へ屈曲させて前記短管に対して嵌脱自在の弾性を有する短管装着部を形成した収納袋取付枠とからなる糞処理具であって、前記収納袋取付枠の環状部に適数の下方へ屈曲させて形成した下方掛止部を設け、且つ前記短管装着部をハの字状にすると共に、該短管装着部に金属線材からなる上方掛止ピンを設けたことを特徴とする糞処理具。
【請求項２】
前記短管をゴム管、ビニール管等の軟質の材料で構成したことを特徴とする請求項１記載の糞処理具。
【請求項３】
前記棒体又はステッキにペンライトを設けたことを特徴とする請求項１又は２記載の糞処理具。
【請求項４】
金属線材を環状に形成すると共に、両端を下方へ屈曲させると共に弾性を有する短管装着部を形成し、該短管装着部に金属線材から成る上方掛止ピンを設け、且つ前記環状に形成した部分に適数の下方へ屈曲形成した下方掛止部を設けたことを特徴とする収納袋取付枠。
【考案の詳細な説明】
【技術分野】
【０００１】
本考案は、犬の散歩中に糞を地面に落とさずに回収する糞処理具と、その糞処理具に使用する収納袋取付枠に関するものである。
【背景技術】
【０００２】
犬は、愛玩動物として素敵な動物で、多くの家庭で飼われているが、飼主が一番頭を悩ますのは、散歩中、犬はその習性により、ところ構わず待った無しに何処にでも糞をすることで、飼主はそれを回収して持ち帰ることが一般的マナーとして要求されていることである。
【０００３】
そのため、通常飼主は、予めビニール袋等の収納袋を用意し、これを手に被せて糞を回収しているが、糞の回収の都度、飼主は一々腰を屈めなければならない不便さがあり、特に足腰が弱っている高齢者には過酷な作業で、悩みの種であった。
【先行技術文献】
【特許文献】
【０００４】
【特許文献１】特開２００１−６９号公報
【特許文献２】登録実用新案第３０５１１６０号公報
【考案の概要】
【考案が解決しようとする課題】
【０００５】
そこで本考案は、腰を屈めなくとも糞の回収を行うことができ、しかも安価に提供できる糞処理具とその糞処理具に使用する収納袋取付枠を提供しようとするものである。
【課題を解決するための手段】
【０００６】
本考案は、上記の課題を解決するためになされたもので、請求項１記載の考案は、下部に縦方向の短管を設けた棒体又はステッキと、金属線材を環状に屈曲すると共に両端を下方へ屈曲させて前記短管に対して嵌脱自在の弾性を有する短管装着部を形成した収納袋取付枠とからなる糞処理具であって、前記収納袋取付枠の環状部に適数の下方へ屈曲させて形成した下方掛止部を設け、且つ前記短管装着部をハの字状にすると共に、該短管装着部に金属線材からなる上方掛止ピンを設けたことを特徴とする糞処理具である。
【０００７】
請求項２記載の考案は、請求項１記載の考案において、前記短管をゴム管、ビニール管等の軟質の材料で構成したことを特徴とする糞処理具である。
【０００８】
請求項３記載の考案は、請求項１又は２記載の考案において、前記棒体又はステッキにペンライトを設けたことを特徴とする糞処理具である。
【０００９】
請求項４記載の考案は、金属線材を環状に形成すると共に、両端を下方へ屈曲させると共に弾性を有する短管装着部を形成し、該短管装着部に金属線材から成る上方掛止ピンを設け、且つ前記環状に形成した部分に適数の下方へ屈曲形成した下方掛止部を設けたことを特徴とする収納袋取付枠である。
【考案の効果】
【００１０】
請求項１記載の糞処理具は、収納袋取付枠に収納袋を簡単にしっかりと取付けることができると共に、腰を屈まないでも糞の回収を行うことができる。また、収納袋を楽に外すことができる。
【００１１】
更に収納袋取付枠の短管装着部をハの字状としたので、短管への取付時は、指で短管装着部を閉じるようにすることにより短管へ楽に挿入することができ、挿入後は弾発力によりハの字状に短管装着部が開くため、抜け出すことがない。そして、着脱が容易であるから、不使用時に収納袋取付枠を外せば、棒体又はステッキには短管だけ残るが、棒体又はステッキの体裁を損ねることがない。
【００１２】
請求項２記載の糞処理具はハの字状の短管装着部が軟質の短管内面に係合し、より一層短管から抜け出しにくくなる効果がある。
【００１３】
請求項３記載の糞処理具は、ペンライトによる証明により夜間散歩時における糞回収を容易にする効果がある。
【００１４】
請求項４に記載の収納袋取付枠は、金属線材から構成されているので、第１に安価に提供することができること、第２に収納袋として、市販の安価なゴミ取りネットを簡単に着脱することができることである。
【図面の簡単な説明】
【００１５】
【図１】本考案の実施例１の側面図である。
【図２】本考案の実施例１の収納袋取付枠と短管並びに袋体の斜視図である。
【図３】本考案の実施例２の収納袋取付枠と短管並びに袋体の斜視図である。
【実施例１】
【００１６】
以下、本考案の実施形態を図面に基づき説明する。
【００１７】
図１は、本考案の一実施形態に係る糞処理具の側面図で、１は把手１ａを設けたステッキで、杷手１ａの前方に照明方向を変えられるようにペンライト２が上下可動に取付けられており、下部には図２に示すように断面が蒲鉾型の短管３が接着剤４で取付けられている。なお、５は離型紙である。
【００１８】
６は市販のゴミ取りネット７を取付けた収納袋取付枠で、その構成は図２に示すように、金属線材を用いて、環状部８(実施例は長方形状にしてある)を形成し、その両側を下方に屈曲すると共にハの字状とした短管取付部９を形成し、更に前記環状部８の４箇所をＶ字状に下方に屈曲させて下方掛止部１０，１０，１０，１０を形成し、前記短管取付部９に金属線材を用いた上方掛止ピン１１を添え、金属パイプ１２に前記短管取付部９と上部掛止ピン１１を挿入してカシメ固定したものである。なお、金属パイプ１２を使わずに電気スポット溶接で固定するようにしてもよい。
【００１９】
この収納袋取付枠６をステッキ１の下部に設けた短管３に短管取付部９を挿入して装着する場合は、ハの字状の短管取付部９をつまんで短管３に挿入する。かくすればハの字状の短管取付部９が短管３内で開き、短管３の内面を押圧して、収納袋取付枠６はステッキ１にしっかりと装着固定される。なお、上部掛止ピン１１はステッキ１側に曲げておくことが好ましく、このように曲げておくことで使用中にゴミ取りネット７が外れ難くなる。
【００２０】
そして、ゴミ取りネット７は、実線図のように、収納袋取付枠６の環状部８へ横から被せるようにして装着した後、裏返すように底を下方に下げて上部掛止ピン１１と下方掛止部１０，１０，１０，１０にゴム輪入り口縁１３を掛止させるか、想像線図示のように、ゴミ取りネット７’を収納袋取付枠６の環状部８内に上から入れ、ゴム輪入り口縁１３’を外側に折り返して下方掛止部１０，１０，１０，１０と上部掛止ピン１１に掛合させる。
【００２１】
糞の回収は、散歩中、犬が排便のポーズを取ったら、すかさず、犬のお尻の下に収納袋取付枠６に取付けた収納袋、ここではゴミ取りネット７を差し込み、糞を回収する。
【００２２】
本考案に係る糞処理具を用いれば、しゃがまなくとも、立ったまま、糞を回収でき、糞で地面を汚すこともないので地面の清掃が必要がなく、便利重宝である。特に雨降りの日にも雨に濡れずに糞の回収を行うことができるので、野外で排便することを躾られた犬、特に排便回数の多い老犬の糞処理具として優れている。また、実施例の糞処理具は可動式のペンライト２が杷手１ａの前方に設けられているので、夜間散歩用の糞処理具としても優れている。
【００２３】
また上部掛止ピン１１と下方掛止部１０，１０，１０，１０によりゴミ取りネット７の口縁がずれて収納袋取付枠６から外れるのを防止する。
【実施例２】
【００２４】
図３は収納袋取付枠６’の他の実施例を示すもので、短管取付部９’を舟状に屈曲形成したものである。この場合上方掛止ピン１１の結束は粘着テープ１２’でもよいが電気スポット溶接が好ましい。
【００２５】
この実施例２によれば、収納袋取付枠６’の短管２への装着時、指を痛めたりすることがない。また短管２へ収納袋取付枠６’を挿入して装着した場合に上記 短管取付部９と同様、弾発力により短管取付部９’は短管２の内面を押圧し、固定される。
【００２６】
本考案は、任意の棒体又はステッキの下部に、短管を接着剤等で固定し、その短管に挿入する短管取付部を設けた金属線材からなる収納袋取付枠を装着する構造であるので、安価に提供することができ、しかも収納袋取付枠を取り外せば、短管がステッキの体裁を損なうことがないので、日常の使用に支障を来たさない利点があり、利便性に優れたものである。
【符号の説明】
【００２７】
１      ステッキ
１ａ    杷手
２      ペンライト
３      短管
４      接着剤
５      離型紙
６      収納袋取付枠
７      ゴミ取りネット
８      環状部
９      短管取付部
１０    下方掛止部
１１    上方掛止部
１２    金属パイプ
１３    ゴム輪入り口縁
【図１】
0003202955.tif 000003
【図２】
0003202955.tif 000004
【図３】
0003202955.tif 000005